(57)【要約】【課題】棚卸しの際の効率を考慮した記録装置を提供すること。【解決手段】記録装置は、被記録媒体（Ｐ）に対して記録する記録部と、資産を管理する部署に予め登録された資産管理情報１１が記憶された記憶部と、を備え、該記憶部に記憶された前記資産管理情報１１を、前記記録部が記録するモードを有しており、前記モードでは、前記資産管理情報１１としての記録装置固有の識別情報１１ａおよび該記録装置が購入された時期１１ｂに加えて記録日時２２が、被記録媒体（Ｐ）に記録される構成であることを特徴とする。【選択図】図２
2012240325.tif 000002
【特許請求の範囲】
【請求項１】
被記録媒体に対して記録する記録部と、
資産を管理する部署に予め登録された資産管理情報が記憶された記憶部と、を備え、
該記憶部に記憶された前記資産管理情報を、前記記録部が記録するモードを有しており、
前記モードでは、前記資産管理情報としての記録装置固有の識別情報および該記録装置が購入された時期に加えて記録日時が、被記録媒体に記録される構成である記録装置。
【請求項２】
請求項１に記載の記録装置において、前記モードでは、前記識別情報、前記購入された時期および前記記録日時に加えて前記記録装置の管理責任者の名前が、被記録媒体に記録される構成である記録装置。
【請求項３】
請求項１または２に記載の記録装置において、前記モードでは、該モード以外の記録モードでは用いられない不規則に歪んだ書体を用いて記録することを特徴とする記録装置。
【発明の詳細な説明】
【技術分野】
【０００１】
本発明は、被記録媒体に対して記録する記録部を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、プリンターは、用紙に対して記録を実行することができるように設けられていた。  
図３（Ａ）（Ｂ）に示すのは、従来技術のプリンター３０の資産管理情報を示すプリンター３０の背面図である。このうち、図３（Ａ）はプリンター３０の背面図である。一方、図３（Ｂ）は図３（Ａ）のラベル３１を拡大した図である。
【０００３】
図３（Ａ）（Ｂ）に示す如く、従来技術のプリンター３０の背面には、会社等が棚卸しをする際に用いる資産管理情報をバーコード３２化したものが表示されたラベル３１が付されていた。そして、棚卸しの際、バーコードスキャナーをバーコード３２に当てることにより、プリンター３０についての資産管理情報を読み取ることができた。
【先行技術文献】
【特許文献】
【０００４】
【特許文献１】特開２０１０−１１０９６５号公報
【発明の概要】
【発明が解決しようとする課題】
【０００５】
しかしながら、資産管理する部署の棚卸しの担当者が、限られた数のバーコードスキャナーを持ち歩いて、バーコードスキャナーをプリンター３０のバーコード３２に当てて一台一台確認する必要があった。そのため、棚卸しにおける効率面で問題があった。
【０００６】
本発明は、このような状況に鑑み成されたものであり、その課題は、棚卸しの際の効率を考慮した記録装置を提供することである。
【課題を解決するための手段】
【０００７】
上記課題を達成するため、本発明の第１の態様の記録装置は、被記録媒体に対して記録する記録部と、資産を管理する部署に予め登録された資産管理情報が記憶された記憶部と、を備え、該記憶部に記憶された前記資産管理情報を、前記記録部が記録するモードを有しており、前記モードでは、前記資産管理情報としての記録装置固有の識別情報および該記録装置が購入された時期に加えて記録日時が、被記録媒体に記録される構成であることを特徴とする。
【０００８】
本態様によれば、前記モードで記録された被記録媒体を得ることにより、棚卸しにおいて、その記録装置が存在すると判断することができる。  
例えば、会社等の棚卸しにおいて確認する対象物の記録装置の台数が多い場合であっても、限られた数のバーコードスキャナーを持ち歩いて一台一台確認する必要がない。そして、数人で手分けして記録（印刷）された被記録媒体（紙）を集めることができ、棚卸しにおいて効率がよい。  
また、前記モードで記録された被記録媒体を得ることにより、前記記録装置が動作可能な状態、言い換えると、使用可能な状態であると判断することができる。
【０００９】
またさらに、前記記録装置が、資産管理する部署から遠く離れた遠隔地に設置されている場合、前記モードで記録した被記録媒体を前記部署へ郵送する、または前記被記録媒体を電子データにしたものを前記部署宛の電子メールに添付する。これらにより、対象物の前記記録装置の有無等棚卸しに必要な事項を前記部署が確認することができる。つまり、資産管理する部署の調査員がバーコードスキャナーを持って前記遠隔地に行って対象物である前記記録装置自体を直接確認する必要がない。従って、棚卸しの効率を上げることができる。
【００１０】
本発明の第２の態様は、第１の態様において、前記モードでは、前記識別情報、前記購入された時期および前記記録日時に加えて前記記録装置の管理責任者の名前が、被記録媒体に記録される構成であることを特徴とする。  
本態様によれば、第１の態様と同様の作用効果に加え、記録装置についての資産管理の管理責任者の名前も記録されるので、その場で管理責任者を明確にすることができる。その結果、棚卸しをスムーズに行うことができる。
【００１１】
本発明の第３の態様は、第１または第２の態様において、前記モードでは、該モード以外の記録モードでは用いられない不規則に歪んだ書体を用いて記録することを特徴とする。  
本態様によれば、第１または第２の態様と同様の作用効果に加え、通常の記録モードでは用いられない歪んだ書体を用いるので、被記録媒体に記録された資産管理情報が改変される虞や偽造される虞を略無にすることができる。
【図面の簡単な説明】
【００１２】
【図１】本実施例のプリンターの概略を示す側面図。
【図２】本実施例の管理モードによって記録された用紙の情報の例を示す平面図。
【図３】（Ａ）（Ｂ）は従来技術のプリンターの資産管理情報を示す背面図。
【発明を実施するための形態】
【００１３】
図１に示すのは、本発明に係る記録装置の一例であるプリンター１の概略を示す側面図である。  
図１に示す如く、本発明に係るプリンター１は、媒体送り手段２と、送り経路と、記録部１６と、排出部２０と、記憶部１０と、を備えている。  
このうち、媒体送り手段２は、被送り媒体の一例である用紙Ｐを送り方向Ｙに送ることができるように設けられている。また、送り経路は、媒体送り手段２等によって送られる用紙Ｐを案内する媒体案内部によって構成されており、用紙Ｐが送られる経路を示す。
【００１４】
また、記録部１６は、媒体送り手段２によって送られた用紙Ｐに対して記録を実行することができるように構成されている。またさらに、排出部２０は、記録された用紙Ｐを排出し、排出トレイ上（図示せず）に載置することができるように設けられている。また、記憶部１０には、例えば会社における資産管理をする部署において予め登録された資産管理情報１１（図２参照）が記憶されている。
【００１５】
具体的に、媒体送り手段２は、載置部６と、ピックアップローラー３と、アーム部４と、分離手段７と、第１ローラー対１４と、第２ローラー対１５と、を備えている。このうち、載置部６は、用紙Ｐが載置されるように設けられている。また、ピックアップローラー３は、モーターの動力によって駆動することができ、載置部６に積層された用紙Ｐのうち、積層方向最上位に用紙Ｐと接触することができるように設けられている。尚、Ｚ軸の矢印が示す方向は積層方向上方である。
【００１６】
またさらに、アーム部４は、送り方向上流側である一端側の揺動軸５を中心に揺動可能に設けられている。そして、送り方向下流側である他端側にピックアップローラー３を回動可能に保持するように構成されている。  
また、分離手段７は、載置部６における用紙Ｐがセットされる箇所より送り方向下流側に設けられている。具体的には、ピックアップローラー３によって送られる用紙Ｐの側視した姿勢に対して傾斜した傾斜面８と有している。そして、用紙Ｐが重送された場合、ピックアップローラー３に対して最上位の用紙Ｐと次位以降の用紙Ｐとを分離することができるように設けられている。所謂、土手分離機構である。
【００１７】
またさらに、第１ローラー対１４および第２ローラー対１５は、分離手段７を通過した用紙Ｐを記録部１６へ送ることができるように設けられている。このうち、第１ローラー対１４は、第１駆動ローラー１４ａと、第１従動ローラー１４ｂとを有している。  
尚、第１従動ローラー１４ｂに代えて回動に所定の負荷を伴う所謂、リタードローラーでもよい。係る場合、土手分離機構での分離が十分でない場合に、重送された用紙Ｐを確実に分離することができる。即ち、第１駆動ローラー１４ａと直接的に接触する用紙Ｐを、該用紙Ｐよりリタードローラー側の用紙から分離することができる。
【００１８】
また、第２ローラー対１５は、送り経路において第１ローラー対１４より下流側に設けられている。具体的には、第２ローラー対１５は、第２駆動ローラー１５ａと第２従動ローラー１５ｂとを有している。そして、例えば、ステッピングモーターによって精度よく用紙Ｐを記録部１６へ送ることができるように設けられている。  
尚、用紙Ｐの先端が第２ローラー対１５に到達した際、送り方向Ｙに対する用紙Ｐの姿勢を正す所謂、スキュー取りが実行されるように構成されているのは言うまでもない。
【００１９】
また、記録部１６は、キャリッジ１７と、記録ヘッド１８と、媒体支持部１９と、を備えている。このうち、キャリッジ１７は、用紙Ｐの幅方向Ｘへ延設されたガイドレール（図示せず）に案内されながら幅方向Ｘへ移動するように構成されている。尚、キャリッジ１７は、詳細な説明は省略するが公知のキャリッジ移動手段によって動力が伝達されて幅方向Ｘに移動する。
【００２０】
また、記録ヘッド１８は、キャリッジ１７に設けられており、インクを用紙Ｐに対して吐出することができるように設けられている。所謂、インクジェット式の記録である。  
また、キャリッジ１７および記録ヘッド１８は、制御部９によって制御されている。本実施例では、記録データの記録を実行する通常の「記録モード」と、資産管理情報１１（図２参照）の記録を実行する「管理モード」とを有している。
【００２１】
資産管理情報１１は、記憶部１０に記憶されている。記憶部１０は、不揮発性メモリーによって構成されている。  
尚、「記録モード」には、縁有り記録モード、縁無し記録モード、片面記録モード、両面記録モード等が含まれるものとする。  
また、「記録モード」は、棚卸し以外のときにおいて、記録データの記録を実行するために用いられる。一方、「管理モード」は、棚卸しの際に用いられる。
【００２２】
またさらに、媒体支持部１９は、記録ヘッド１８と対向する位置に設けられ、用紙Ｐを支持し、用紙Ｐと記録ヘッド１８との間の距離を所定の間隔にすることができるように構成されている。  
また、排出部２０は、第３ローラー対２１と、図示しない排出トレイを備えている。第３ローラー対２１は、送り経路において記録部１６より下流側に設けられ、記録された用紙Ｐを排出トレイへ送ることができるように設けられている。  
尚、媒体送り手段２の載置部６は、プリンター本体に対して着脱可能な所謂、カセットタイプの構成でもよいし、プリンター本体と一体に形成されている構成でもよい。
【００２３】
続いて、「管理モード」について説明する。  
図２に示すのは、本実施例の「管理モード」によって記録された用紙Ｐの情報の例を示す平面図である。  
図２に示す如く、棚卸しの際に「管理モード」が選択されると、制御部９は記憶部１０から資産管理情報１１を読み出だす。そして、プリンター１は用紙Ｐに対して資産管理情報１１を記録する。ここで、管理モードの選択の仕方は、プリンター１の外面に設けられた図示しないボタンを押すことにより選択する構成でもよいし、プリンター１と接続されたパーソナルコンピューターで選択する構成でもよい。
【００２４】
資産管理情報１１として、少なくともプリンター１の固有の識別番号１１ａ、購入時期１１ｂが用紙Ｐに記録される。さらに、記録時の日時２２（プリントアウト日時）も記録される。その時にプリンター１が存在していたことを証明するためである。また、その時にプリンター１が使用可能な状態であったことを証明するためでもある。「管理モード」によって用紙Ｐに資産管理情報１１を記録することにより、従来のように、限られた数のバーコードスキャナーを持ち歩いて一台一台確認する必要がない。
【００２５】
そして、数人で手分けして印刷された用紙Ｐを集めることができ、棚卸しにおいて効率がよい。  
尚、記録時の日時２２の情報は、プリンター１の内部に設けられたタイマー（時計機能）から現在の時刻を算出する構成でもよいし、接続されたパーソナルコンピューター等の外部の機器から時刻情報を得る構成でもよい。
【００２６】
またさらに、プリンター１が、資産管理する部署から遠く離れた遠隔地に設置されている場合、「管理モード」で記録した用紙Ｐを前記部署へ郵送する、または前記用紙Ｐを電子データにしたものを前記部署宛の電子メールに添付することができる。これらにより、棚卸しの対象物のプリンター１の有無等棚卸しに必要な事項を前記部署が確認することができる。つまり、資産管理する部署の調査員がバーコードスキャナーを持って前記遠隔地に行って対象物であるプリンター１自体を直接確認する必要がない。
【００２７】
さらに、プリンター１の購入時期１１ｂ、購入価格１１ｃおよび管理責任者の名前１１ｄをも用紙Ｐに記録されることが望ましい。会社の資産管理を行う部署の帳簿を一々参照する手間を省くことができるからである。  
またさらに、資産管理情報１１に記録時の日時２２の情報を加えてバーコード１２にして記録することが望ましい。バーコードスキャナーで情報を読み取ることができ棚卸しの確認処理をスムーズに行うことができるからである。
【００２８】
また、用紙Ｐに記録される資産管理情報１１の少なくとも要部には、通常の記録モードでは用いられない特殊書体１３が用いられることが望ましい。改変防止や偽造防止のためである。  
ここで、「資産管理情報１１の要部」とは、プリンター１の固有の識別番号１１ａを表す部分、購入時期１１ｂ等を表す部分をいう。項目を示す部分は含まれない。  
また、本実施例において、特殊書体１３は、不規則に歪んだ書体１３である。技術的思想としては、用紙Ｐに記録された状態において歪んでいればよい。従って、通常用いられる書体をデータ上で不規則に歪ませる処理を行ってから用紙Ｐに記録する構成でもよい。
【００２９】
本実施例の記録装置としてのプリンター１は、被記録媒体の一例である用紙Ｐに対して記録する記録部１６と、資産を管理する部署に予め登録された資産管理情報１１が記憶された記憶部１０と、を備え、記憶部１０に記憶された資産管理情報１１を、記録部１６が記録するモードである「管理モード」を有しており、前記「管理モード」では、資産管理情報１１としてのプリンター１固有の識別情報である識別番号１１ａおよびプリンター１が購入された時期１１ｂに加えて記録日時２２が、用紙Ｐに記録される構成であることを特徴とする。
【００３０】
また、本実施例において、前記「管理モード」では、前記識別番号１１ａ、前記購入された時期１１ｂおよび前記記録日時２２に加えてプリンター１の管理責任者の名前１１ｄが、用紙Ｐに記録される構成であることを特徴とする。  
またさらに、本実施例において、前記「管理モード」では、該「管理モード」以外の「記録モード」では用いられない不規則に歪んだ書体１３を用いて記録することを特徴とする。
【００３１】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００３２】
１  プリンター、２  媒体送り手段、３  ピックアップローラー、４  アーム部、
５  揺動軸、６  載置部、７  分離手段、８  傾斜面、９  制御部、１０  記憶部、
１１  資産管理情報、１１ａ  識別番号（識別情報）、１１ｂ  購入時期、
１１ｃ  購入価格、１１ｄ  管理責任者の名前、１２  バーコード、
１３  歪んだ書体（特殊書体）、１４  第１ローラー対、１４ａ  第１駆動ローラー、
１４ｂ  第１従動ローラー（リタードローラー）、１５  第２ローラー対、
１５ａ  第２駆動ローラー、１５ｂ  第２従動ローラー、１６  記録部、
１７  キャリッジ、１８  記録ヘッド、１９  媒体支持部、２０  排出部、
２１  第３ローラー対、２２  記録日時、３０  （従来技術の）プリンター、
３１  ラベル、３２  バーコード、Ｐ  用紙、Ｘ  幅方向、Ｙ  送り方向、
Ｚ  積層方向（鉛直方向）
【図１】
2012240325.tif 000003
【図２】
2012240325.tif 000004
【図３】
2012240325.tif 000005